【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
呼吸治療デバイスとの無線通信を行う方法であって、
前記呼吸治療デバイスとのセキュアではない無線通信回線を制御デバイスが確立することと、
前記制御デバイスが前記セキュアではない無線通信回線と異なる通信回線を第１の共有秘密を介して入手することと、ここで、前記第１の共有秘密は、前記呼吸治療デバイスにとって既知であって、
前記制御デバイスが第２の共有秘密を前記第１の共有秘密および前記セキュアではない無線通信回線を介して通信されたデータを用いて演算することと、ここで、前記第２の共有秘密は、前記呼吸治療デバイスにとって既知であり、前記第１の共有秘密よりも強力であって、
前記制御デバイスが前記呼吸治療デバイスとの無線通信を前記第２の共有秘密に基づいて行うことと
を含む、方法。
【請求項２】
前記第２の共有秘密を演算することは、ディフィー−ヘルマン鍵交換を含む、請求項１に記載の方法。
【請求項３】
前記制御デバイスがセッション鍵を前記第２の共有秘密と用いて演算することをさらに含む、請求項１又は２に記載の方法。
【請求項４】
前記無線回線を介して前記呼吸治療デバイスと通信されるデータを前記制御デバイスが前記セッション鍵を用いて暗号化および復号化することをさらに含む、請求項３に記載の方法。
【請求項５】
セキュアではない無線通信回線を確立することは、前記呼吸治療デバイスにとって既知の対称鍵を前記制御デバイスが演算することを含む、請求項１〜４のいずれか一項に記載の方法。
【請求項６】
前記第１の共有秘密を異なる回線を介して入手することは、前記制御デバイスによる前記呼吸治療デバイスへの物理的アクセスに依存する、請求項１〜５のいずれか一項に記載の方法。
【請求項７】
前記第１の共有秘密を入手することは、前記呼吸治療デバイスのハウジング上に印刷された機械可読フォームの前記第１の共有秘密を前記制御デバイスによってスキャンすることを含む、請求項６に記載の方法。
【請求項８】
前記機械可読フォームはバーコードである、請求項７に記載の方法。
【請求項９】
前記バーコードはＱＲコードである、請求項８に記載の方法。
【請求項１０】
前記第１の共有秘密を入手することは、前記制御デバイスのユーザインターフェースを介して入力された前記第１の共有秘密を前記制御デバイスにより受信することを含む、請求項６に記載の方法。
【請求項１１】
前記第２の共有秘密が前記呼吸治療デバイスにとって既知であることを前記制御デバイスにより確認することをさらに含む、請求項１〜１０のいずれか一項に記載の方法。
【請求項１２】
前記確認することは、
第１のハッシュ値を前記第２の共有秘密を用いて演算することと、
前記呼吸治療デバイスから前記セキュアではない無線通信回線を介して第２のハッシュ値を受信することと、
前記第１のハッシュ値を前記第２のハッシュ値と比較することと
を含む、請求項１１に記載の方法。
【請求項１３】
前記第１のハッシュ値が前記第２のハッシュ値と等しくない場合、前記制御デバイスのユーザインターフェースを介してユーザ出力を生成することをさらに含む、請求項１２に記載の方法。
【請求項１４】
前記第２の共有秘密により、前記制御デバイスと前記呼吸治療デバイスとの間にセキュアな無線通信回線が確立される、請求項１〜１３のいずれか一項に記載の方法。
【請求項１５】
前記第２の共有秘密からセッション鍵を演算することをさらに含む、請求項１４に記載の方法。
【請求項１６】
前記呼吸治療デバイスの呼吸療法動作を制御するための制御パラメータ前記制御デバイスが前記セキュアな無線通信回線を介して送信することをさらに含む、請求項１４に記載の方法。
【請求項１７】
前記制御パラメータは、圧力設定および流量設定のうち１つを含む、請求項１６に記載の方法。
【請求項１８】
前記呼吸治療デバイスの呼吸療法動作に関連するデータを前記制御デバイスが前記セキュアな無線通信回線を介して受信することをさらに含む、請求項１４に記載の方法。
【請求項１９】
前記データは、前記呼吸治療デバイスの利用時間および複数の呼吸イベントのうち任意の１つ以上を含む、請求項１８に記載の方法。
【請求項２０】
符号化されたプログラム命令が載置された、コンピュータにより読出可能なデータ記憶媒体であって、前記プログラム命令は、請求項１〜１９のいずれか一項に記載の方法を含む方法をプロセッサに行わせるように構成される、データ記憶媒体。
【請求項２１】
請求項２０に記載のコンピュータにより読出可能なデータ記憶媒体へのアクセスを有するサーバーであって、前記サーバーは、前記コンピュータにより読出可能なデータ記憶媒体の前記プログラム命令をネットワークを介して前記制御デバイスへダウンロードせよとのリクエストを受信するように構成される、サーバー。
【請求項２２】
呼吸治療デバイスと無線通信するように構成された制御デバイスであって、
処理命令を保存するメモリと、
プロセッサであって、
前記呼吸治療デバイスとのセキュアではない無線通信回線を確立することと、
前記セキュアではない無線通信回線と異なる回線を介して第１の共有秘密を入手することと、ここで、前記第１の共有秘密は、前記呼吸治療デバイスにとって既知であって、
前記第１の共有秘密と、前記セキュアではない無線通信回線を介して通信されたデータとを用いて第２の共有秘密を演算することと、ここで、前記第２の共有秘密は、前記呼吸治療デバイスにとって既知であり、前記第１の共有秘密よりも強力であって、
を行うように構成される、プロセッサと
を含む制御デバイス。
【請求項２３】
バーコードリーダをさらに含み、前記プロセッサは、前記呼吸治療デバイスのハウジング上に印刷されたバーコードを前記バーコードリーダを用いてスキャンすることにより前記第１の共有秘密を入手するようにさらに構成され、前記バーコードは前記第１の共有秘密を符号化する、請求項２２に記載の制御デバイス。
【請求項２４】
ユーザインターフェースをさらに含み、前記プロセッサは、前記ユーザインターフェースを通じて入力された入力を介して前記第１の共有秘密を入手するようにさらに構成される、請求項２２に記載の制御デバイス。
【請求項２５】
呼吸治療デバイスと制御デバイスとの間の無線通信を行う方法であって、
前記制御デバイスとのセキュアではない無線通信回線を前記呼吸治療デバイスにより確立することと、
第１の共有秘密と、前記セキュアではない無線通信回線を介して通信されたデータとを用いて第２の共有秘密を前記呼吸治療デバイスにより演算することと、ここで、前記第１の共有秘密および前記第２の共有秘密は、前記制御デバイスにとって既知であり、前記第２の共有秘密は、前記第１の共有秘密よりも強力であって、
前記制御デバイスとの無線通信を前記呼吸治療デバイスが前記第２の共有秘密に基づいて行うことと
を含む、方法。
【請求項２６】
制御デバイスと無線通信するように構成された呼吸治療デバイスであって、
処理命令を保存するメモリと、
コントローラであって、
前記制御デバイスとのセキュアではない無線通信回線を確立することと、
第１の共有秘密と、前記セキュアではない無線通信回線を介して通信されたデータとを用いて第２の共有秘密を演算することと、ここで、前記第１の共有秘密および前記第２の共有秘密は、前記制御デバイスにとって既知であり、前記第２の共有秘密は、前記第１の共有秘密よりも強力であって、
を行うように構成されたコントローラと
を含む、呼吸治療デバイス。
【請求項２７】
印刷されたバーコードを含むハウジングをさらに含み、前記印刷されたバーコードは、前記第１の共有秘密を符号化する、請求項２６に記載の呼吸治療デバイス。
【請求項２８】
呼吸治療デバイスと、
前記呼吸治療デバイスと無線通信するように構成された制御デバイスと
を含む呼吸治療デバイスであって、
前記制御デバイスはプロセッサを含み、前記プロセッサは、
前記呼吸治療デバイスとのセキュアではない無線通信回線を確立することと、
前記セキュアではない無線通信回線と異なる回線を介して第１の共有秘密を入手することと、ここで、前記第１の共有秘密は、前記呼吸治療デバイスにとって既知であって、
前記第１の共有秘密と、前記セキュアではない無線通信回線を介して通信されたデータとを用いて第２の共有秘密を演算することと、ここで、前記第２の共有秘密は、前記呼吸治療デバイスにとって既知であり、前記第１の共有秘密よりも強力であって、
前記第２の共有秘密に基づいて前記呼吸治療デバイスとの無線通信を行うことと
を行うように構成される、呼吸治療システム。
【請求項２９】
前記呼吸治療デバイスは、印刷されたバーコードを含むハウジングを含み、前記印刷されたバーコードは、前記第１の共有秘密を符号化する、請求項２８に記載の呼吸治療システム。
【請求項３０】
前記制御デバイスは、バーコードリーダをさらに含み、前記プロセッサは、前記バーコードをスキャンすることにより前記第１の共有秘密を前記バーコードリーダにより入手するようにさらに構成される、請求項２９に記載の呼吸治療システム。
【請求項３１】
前記制御デバイスは、ユーザインターフェースをさらに含み、前記プロセッサは、前記ユーザインターフェースを通じて入力された入力を前記第１の共有秘密を介して入手するようにさらに構成される、請求項２９に記載の呼吸治療システム。
【手続補正２】
【補正対象書類名】明細書
【補正対象項目名】０２７６
【補正方法】変更
【補正の内容】
【０２７６】
実施例  ６９．装置であって、
呼吸治療を患者へ送達させる手段と、
遠隔サーバーからナンスを受信する手段と、
ナンスからの署名鍵と、遠隔サーバーにとって既知の秘密とを演算する手段と、
治療データおよび署名鍵を用いて認証コードを生成する手段であって、認証コー
ドは、治療データの認証に用いられる、手段と、
治療データおよび認証コードを遠隔サーバーへ送信する手段と、
を含む、装置。
なお、出願当初の特許請求の範囲の記載は以下の通りである。
請求項１：
呼吸治療デバイスとの無線通信を行う方法であって、
前記呼吸治療デバイスとのセキュアではない無線通信回線を制御デバイスが確立することと、
前記制御デバイスが前記セキュアではない無線通信回線と異なる通信回線を第１の共有秘密を介して入手することであって、前記第１の共有秘密は、前記呼吸治療デバイスにとって既知である、ことと、
前記制御デバイスが第２の共有秘密を前記第１の共有秘密および前記セキュアではない無線通信回線を介して通信されたデータを用いて演算することであって、前記第２の共有秘密は、前記呼吸治療デバイスにとって既知であり、前記第１の共有秘密よりも強力である、ことと、
前記制御デバイスが前記呼吸治療デバイスとの無線通信を前記第２の共有秘密に基づいて行うことと、
を含む、方法。
請求項２：
前記第２の共有秘密を演算することは、ディフィー−ヘルマン鍵交換を含む、請求項１の方法。
請求項３：
前記制御デバイスがセッション鍵を前記第２の共有秘密と用いて演算することをさらに含む、請求項１の方法。
請求項４：
前記無線回線を介して前記呼吸治療デバイスと通信されるデータを前記制御デバイスが前記セッション鍵を用いて暗号化および復号化することをさらに含む、請求項３の方法。
請求項５：
セキュアではない無線通信回線を確立することは、前記呼吸治療デバイスにとって既知の対称鍵を前記制御デバイスが演算することを含む、請求項１の方法。
請求項６：
前記第１の共有秘密を異なる回線を介して入手することは、前記制御デバイスによる前記呼吸治療デバイスへの物理的アクセスに依存する、請求項１の方法。
請求項７：
前記第１の共有秘密を入手することは、前記呼吸治療デバイスのハウジング上に印刷された機械可読フォームの前記第１の共有秘密を前記制御デバイスによってスキャンすることを含む、請求項６の方法。
請求項８：
前記機械可読フォームはバーコードである、請求項７の方法。
請求項９：
前記バーコードはＱＲコードである、請求項８の方法。
請求項１０：
前記第１の共有秘密を入手することは、前記制御デバイスのユーザインターフェースを介して入力された前記第１の共有秘密を前記制御デバイスにより受信することを含む、請求項６の方法。
請求項１１：
前記第２の共有秘密が前記呼吸治療デバイスにとって既知であることを前記制御デバイスにより確認することをさらに含む、請求項１の方法。
請求項１２：
前記確認することは、
第１のハッシュ値を前記第２の共有秘密を用いて演算することと、
前記呼吸治療デバイスから前記セキュアではない無線通信回線を介して第２のハッシュ値を受信することと、
前記第１のハッシュ値を前記第２のハッシュ値と比較することと、
を含む、請求項１１の方法。
請求項１３：
前記第１のハッシュ値が前記第２のハッシュ値と等しくない場合、前記制御デバイスのユーザインターフェースを介してユーザ出力を生成することをさらに含む、請求項１２の方法。
請求項１４：
前記第２の共有秘密により、前記制御デバイスと前記呼吸治療デバイスとの間にセキュアな無線通信回線が確立される、請求項１の方法。
請求項１５：
前記第２の共有秘密からセッション鍵を演算することをさらに含む、請求項１４の方法。
請求項１６：
前記呼吸治療デバイスの呼吸療法動作を制御するための制御パラメータ前記制御デバイスが前記セキュアな無線通信回線を介して送信することをさらに含む、請求項１４の方法。
請求項１７：
前記制御パラメータは、圧力設定および流量設定のうち１つを含む、請求項１６の方法。
請求項１８：
前記呼吸治療デバイスの呼吸療法動作に関連するデータを前記制御デバイスが前記セキュアな無線通信回線を介して受信することをさらに含む、請求項１４の方法。
請求項１９：
前記データは、前記呼吸治療デバイスの利用時間および複数の呼吸イベントのうち任意の１つ以上を含む、請求項１８の方法。
請求項２０：
符号化されたプログラム命令が載置された、コンピュータにより読出可能なデータ記憶媒体であって、前記プログラム命令は、請求項１の方法を含む方法をプロセッサに行わせるように構成される、データ記憶媒体。
請求項２１：
請求項２０のコンピュータにより読出可能なデータ記憶媒体へのアクセスを有するサーバーであって、前記サーバーは、前記コンピュータにより読出可能なデータ記憶媒体の前記プログラム命令をネットワークを介して前記制御デバイスへダウンロードせよとのリクエストを受信するように構成される、サーバー。
請求項２２：
呼吸治療デバイスと無線通信するように構成された制御デバイスであって、
処理命令を保存するメモリと、
プロセッサであって、
前記呼吸治療デバイスとのセキュアではない無線通信回線を確立することと、
前記セキュアではない無線通信回線と異なる回線を介して第１の共有秘密を入手することであって、前記第１の共有秘密は、前記呼吸治療デバイスにとって既知である、ことと、
前記第１の共有秘密と、前記セキュアではない無線通信回線を介して通信されたデータとを用いて第２の共有秘密を演算することであって、前記第２の共有秘密は、前記呼吸治療デバイスにとって既知であり、前記第１の共有秘密よりも強力である、ことと、
を行うように構成される、プロセッサと、
を含む、制御デバイス。
請求項２３：
バーコードリーダをさらに含み、前記プロセッサは、前記呼吸治療デバイスのハウジング上に印刷されたバーコードを前記バーコードリーダを用いてスキャンすることにより前記第１の共有秘密を入手するようにさらに構成され、前記バーコードは前記第１の共有秘密を符号化する、請求項２２の制御デバイス。
請求項２４：
ユーザインターフェースをさらに含み、前記プロセッサは、前記ユーザインターフェースを通じて入力された入力を介して前記第１の共有秘密を入手するようにさらに構成される、請求項２２の制御デバイス。
請求項２５：
呼吸治療デバイスと制御デバイスとの間の無線通信を行う方法であって、
前記制御デバイスとのセキュアではない無線通信回線を前記呼吸治療デバイスにより確立することと、
第１の共有秘密と、前記セキュアではない無線通信回線を介して通信されたデータとを用いて第２の共有秘密を前記呼吸治療デバイスにより演算することであって、前記第１の共有秘密および前記第２の共有秘密は、前記制御デバイスにとって既知であり、前記第２の共有秘密は、前記第１の共有秘密よりも強力である、ことと、
前記制御デバイスとの無線通信を前記呼吸治療デバイスが前記第２の共有秘密に基づいて行うことと、
を含む、方法。
請求項２６：
制御デバイスと無線通信するように構成された呼吸治療デバイスであって、
処理命令を保存するメモリと、
コントローラであって、
前記制御デバイスとのセキュアではない無線通信回線を確立することと、
第１の共有秘密と、前記セキュアではない無線通信回線を介して通信されたデータとを用いて第２の共有秘密を演算することであって、前記第１の共有秘密および前記第２の共有秘密は、前記制御デバイスにとって既知であり、前記第２の共有秘密は、前記第１の共有秘密よりも強力である、ことと、
を行うように構成されたコントローラと、
を含む、呼吸治療デバイス。
請求項２７：
印刷されたバーコードを含むハウジングをさらに含み、前記印刷されたバーコードは、前記第１の共有秘密を符号化する、請求項２６の呼吸治療デバイス。
請求項２８：
呼吸治療システムであって、
呼吸治療デバイスと、
前記呼吸治療デバイスと無線通信するように構成された制御デバイスと、
を含み、
前記制御デバイスはプロセッサを含み、前記プロセッサは、
前記呼吸治療デバイスとのセキュアではない無線通信回線を確立することと、
前記セキュアではない無線通信回線と異なる回線を介して第１の共有秘密を入手することであって、前記第１の共有秘密は、前記呼吸治療デバイスにとって既知である、ことと、
前記第１の共有秘密と、前記セキュアではない無線通信回線を介して通信されたデータとを用いて第２の共有秘密を演算することであって、前記第２の共有秘密は、前記呼吸治療デバイスにとって既知であり、前記第１の共有秘密よりも強力である、ことと、
前記第２の共有秘密に基づいて前記呼吸治療デバイスとの無線通信を行うことと、
を行うように構成される、
呼吸治療システム。
請求項２９：
前記呼吸治療デバイスは、印刷されたバーコードを含むハウジングを含み、前記印刷されたバーコードは、前記第１の共有秘密を符号化する、請求項２８の呼吸治療システム。
請求項３０：
前記制御デバイスは、バーコードリーダをさらに含み、前記プロセッサは、前記バーコードをスキャンすることにより前記第１の共有秘密を前記バーコードリーダにより入手するようにさらに構成される、請求項２９の呼吸治療システム。
請求項３１：
前記制御デバイスは、ユーザインターフェースをさらに含み、前記プロセッサは、前記ユーザインターフェースを通じて入力された入力を前記第１の共有秘密を介して入手するようにさらに構成される、請求項２９の呼吸治療システム。
請求項３２：
呼吸治療デバイスによって生成される治療データを前記呼吸治療デバイスとの通信および前記遠隔サーバーとの通信を行うように構成された制御デバイスを介して遠隔サーバーへアップロードする方法であって、
前記治療データを前記呼吸治療デバイスから前記制御デバイスが受信することと、
前記遠隔サーバーからナンスを前記制御デバイスが受信することと、
前記制御デバイスが前記ナンスを前記呼吸治療デバイスへ送信することと、
前記制御デバイスが前記呼吸治療デバイスから署名鍵を受信することであって、前記署名鍵は、前記ナンスと、前記呼吸治療デバイスおよび前記遠隔サーバーにとって既知の秘密とに依存する、ことと、
前記制御デバイスが前記治療データおよび前記署名鍵を用いて認証コードを生成することであって、前記認証コードは、前記治療データの認証に用いられる、ことと、
前記制御デバイスが前記治療データおよび前記認証コードを前記遠隔サーバーへ送信することと、
を含む、方法。
請求項３３：
前記認証コードは、ハッシュ化メッセージ認証コードである、請求項３２の方法。
請求項３４：
前記署名鍵は、前記共有秘密中へのオフセットにさらに依存し、前記オフセットは、前記遠隔サーバーから前記制御デバイスによって受信される、請求項３２の方法。
請求項３５：
前記ナンスは擬似乱数である、請求項３２の方法。
請求項３６：
前記制御デバイスは、前記呼吸治療デバイスにとって既知の対称鍵を用いて前記署名鍵を復号化することにより、前記呼吸治療デバイスから前記署名鍵をセキュアに受信する、請求項３２の方法。
請求項３７：
制御デバイスであって、
メモリと、
プロセッサと、
を含み、
前記メモリはプログラム命令を含み、前記プログラム命令は、前記プロセッサによって実行されると、呼吸治療デバイスによって生成された治療データを遠隔サーバーへアップロードするように前記制御デバイスを制御し、前記プログラム命令は、
前記呼吸治療デバイスから前記治療データを受信することと、
前記遠隔サーバーからナンスを受信することと、
前記呼吸治療デバイスへ前記ナンスを送ることと、
前記呼吸治療デバイスから署名鍵を受信することであって、前記署名鍵は、前記ナンスと、前記呼吸治療デバイスおよび前記遠隔サーバーにとって既知の秘密とに依存する、ことと、
前記治療データおよび前記署名鍵を用いて認証コードを生成することであって、前記認証コードは、前記治療データの認証に用いられる、ことと、
前記治療データおよび前記認証コードを前記遠隔サーバーへ送ることと、
を行うように前記制御デバイスを制御する、
制御デバイス。
請求項３８：
呼吸治療デバイスによって生成される治療データを認証する方法であって、
前記治療データおよび第１の認証コードを受信することと、
ナンスと、前記呼吸治療デバイスにとって既知の秘密とから、署名鍵を演算することと、
前記受信された治療データおよび前記署名鍵から第２の認証コードを演算することと、
前記第１の認証コードを前記第２の認証コードと比較することにより、前記治療データを認証することと、
を含む、方法。
請求項３９：
オフセットを前記呼吸治療デバイスへ送信することをさらに含み、前記署名鍵は前記オフセットに依存する、請求項３８の方法。
請求項４０：
前記認証コードは、ハッシュ化メッセージ認証コードである、請求項３８の方法。
請求項４１：
前記ナンスを前記呼吸治療デバイスへ送信することをさらに含む、請求項３８の方法。
請求項４２：
前記ナンスは擬似乱数である、請求項３８の方法。
請求項４３：
サーバーであって、
メモリと、
プロセッサと、
を含み、
前記メモリはプログラム命令を含み、前記プログラム命令は、前記プロセッサによって実行されると、呼吸治療デバイスによって生成された治療データを認証するように前記サーバーを制御し、前記プログラム命令は、
前記治療データおよび第１の認証コードを受信することと、
ナンスと、前記呼吸治療デバイスにとって既知の秘密とから署名鍵を演算することと、
前記受信された治療データおよび前記署名鍵から第２の認証コードを演算することと、
前記第１の認証コードを前記第２の認証コードと比較することにより、前記治療データを認証することと、
を行うように前記サーバーを制御する、
サーバー。
請求項４４：
ネットワーク化された呼吸治療システムであって、
呼吸治療を患者に行うに構成された呼吸治療デバイスと、
遠隔サーバーと、
前記呼吸治療デバイスとの通信および前記遠隔サーバーとの通信を行うように構成された制御デバイスであって、前記制御デバイスは、
前記呼吸治療デバイスからの治療データを前記制御デバイスにより受信することと、
前記遠隔サーバーからのナンスを前記制御デバイスにより受信することと、
前記制御デバイスにより前記ナンスを前記呼吸治療デバイスへ送ることと、
前記呼吸治療デバイスからの署名鍵を前記制御デバイスにより受信することであって、前記署名鍵は、前記ナンスと、前記呼吸治療デバイスおよび前記遠隔サーバーにとって既知の秘密とに依存する、ことと、
前記制御デバイスが前記治療データおよび前記署名鍵を用いて認証コードを生成することであって、前記認証コードは、前記治療データの認証に用いられる、ことと、
前記制御デバイスが前記治療データおよび前記認証コードを前記遠隔サーバーへ送ることと、
を行うように構成される、制御デバイスと、
を含む、
システム。
請求項４５：
前記呼吸治療デバイスは、呼吸圧力治療デバイスである、請求項４４のシステム。
請求項４６：
前記制御デバイスは、前記呼吸治療デバイスとの通信を共有対称鍵を用いてセキュアに行うように構成される、請求項４４のシステム。
請求項４７：
前記遠隔サーバーは、
前記治療データおよび第１の認証コードを受信することと、
ナンスと、前記呼吸治療デバイスにとって既知の秘密とから署名鍵を演算することと、
前記受信された治療データおよび前記署名鍵から第２の認証コードを演算することと、
前記第１の認証コードを前記第２の認証コードと比較することにより、前記治療データを認証することと、
を行うように構成される、
請求項４４のシステム。
請求項４８：
ネットワーク化された呼吸治療システムであって、
呼吸治療を患者に行うように構成された呼吸治療デバイスと、
前記呼吸治療デバイスと通信するように構成された制御デバイスと、
前記制御デバイスと通信するように構成された遠隔サーバーであって、前記遠隔サーバーは、
前記制御デバイスから治療データおよび第１の認証コードを受信することと、
ナンスと、前記呼吸治療デバイスにとって既知の秘密とから署名鍵を演算することと、
前記受信された治療データおよび前記署名鍵から第２の認証コードを演算することと、
前記第１の認証コードを前記第２の認証コードと比較することにより、前記治療データを認証することと、
を行うように構成される、遠隔サーバーと、
を含む、システム。
請求項４９：
前記呼吸治療デバイスは、呼吸圧力治療デバイスである、請求項４８のシステム。
請求項５０：
前記制御デバイスは、前記呼吸治療デバイスとの通信を共有対称鍵を用いてセキュアに行うように構成される、請求項４８のシステム。
請求項５１：
前記制御デバイスは、
前記呼吸治療デバイスから前記治療データを受信することと、
前記遠隔サーバーからナンスを受信することと、
前記呼吸治療デバイスへ前記ナンスを送ることと、
前記呼吸治療デバイスから署名鍵を受信することであって、前記署名鍵は、前記ナンスと、前記呼吸治療デバイスおよび前記遠隔サーバーにとって既知の秘密とに依存する、ことと、
前記治療データおよび前記署名鍵を用いて認証コードを生成することであって、前記認証コードは、前記治療データの認証に用いられる、ことと、
前記治療データおよび前記認証コードを前記遠隔サーバーへ送ることと、
を行うように構成される、
請求項４８のシステム。
請求項５２：
前記呼吸治療デバイスは、
前記遠隔サーバーからナンスを受信することと、
前記ナンスからの署名鍵と、前記呼吸治療デバイスおよび前記遠隔サーバーにとって既知の秘密とを演算することと、
前記治療データおよび前記署名鍵を用いて認証コードを生成することと、
前記治療データおよび前記認証コードを前記遠隔サーバーへ送ることと、
を行うように構成される、
請求項４８のシステム。
請求項５３：
呼吸治療デバイスによって生成される治療データを遠隔サーバーへアップロードする方法であって、
前記遠隔サーバーからナンスを前記呼吸治療デバイスが受信することと、
前記ナンスからの署名鍵と、前記遠隔サーバーにとって既知の秘密とを前記呼吸治療デバイスによって演算することと、
前記呼吸治療デバイスが前記治療データおよび前記署名鍵を用いて認証コードを生成することであって、前記認証コードは、前記治療データの認証に用いられる、ことと、
前記治療データおよび前記認証コードを前記呼吸治療デバイスから前記遠隔サーバーへ送信することと、
を含む、方法。
請求項５４：
前記認証コードは、ハッシュ化メッセージ認証コードである、請求項５３の方法。
請求項５５：
前記署名鍵は、前記共有秘密中へのオフセットにさらに依存し、前記オフセットは、前記遠隔サーバーから前記呼吸治療デバイスによって受信される、請求項５３の方法。
請求項５６：
前記ナンスは擬似乱数である、請求項５３〜５５の方法。
請求項５７：
前記呼吸治療デバイスは、前記遠隔サーバーと通信するように構成された制御デバイスを介して前記ナンスを受信する、請求項５３の方法。
請求項５８：
前記呼吸治療デバイスは、前記制御デバイスにとって既知の対称鍵を用いて前記ナンスを復号化することにより、前記ナンスを前記制御デバイスから受信する、請求項５７の方法。
請求項５９：
前記呼吸治療デバイスは、前記遠隔サーバーと通信するように構成された制御デバイスを介して前記治療データおよび前記認証コードを送信する、請求項５３の方法。
請求項６０：
前記制御デバイスは、前記制御デバイスにとって既知の対称鍵を用いて前記治療データおよび前記認証コードを暗号化することにより、前記治療データおよび前記認証コードを前記制御デバイスへ送信する、請求項５９の方法。
請求項６１：
呼吸治療デバイスは、
患者インターフェースへ連結することおよび陽圧の空気流れを前記患者インターフェースへ供給することを行うように適合された圧力生成器と、
メモリと、
プロセッサと、
を含み、
前記メモリはプログラム命令を含み、前記プログラム命令は、前記プロセッサによって実行されると、前記呼吸治療デバイスによって生成された治療データを遠隔サーバーへアップロードするように前記呼吸治療デバイスを制御し、前記プログラム命令は、
前記遠隔サーバーからナンスを受信することと、
前記ナンスからの署名鍵と、前記遠隔サーバーにとって既知の秘密とを演算することと、
前記治療データおよび前記署名鍵を用いて認証コードを生成することであって、前記認証コードは、前記治療データの認証に用いられる、ことと、
前記治療データおよび前記認証コードを前記遠隔サーバーへ送ることを行うように前記呼吸治療デバイスを制御する、呼吸治療デバイス。
請求項６２：
ネットワーク化された呼吸治療システムであって、
患者への呼吸治療の施行のための呼吸治療デバイスと、
前記呼吸治療デバイスと通信するように構成された遠隔サーバーと、
を含み、
前記呼吸治療デバイスは、
前記遠隔サーバーからナンスを受信することと、
前記ナンスからの署名鍵と、前記遠隔サーバーにとって既知の秘密とを演算することと、
治療データおよび前記署名鍵を用いて認証コードを生成することであって、前記認証コードは、前記治療データの認証に用いられる、ことと、
前記治療データおよび前記認証コードを前記遠隔サーバーへ送ることと、
を行うように構成される、
システム。
請求項６３：
前記呼吸治療デバイスは、呼吸圧力治療デバイスである、請求項６２のシステム。
請求項６４：
前記呼吸治療デバイスとセキュアに通信することおよび前記遠隔サーバーと通信することを行うように構成された制御デバイスをさらに含む、請求項６２のシステム。
請求項６５：
前記制御デバイスは、前記呼吸治療デバイスにとって既知の対称鍵を用いて前記呼吸治療デバイスとセキュアに通信するように構成される、請求項６４のシステム。
請求項６６：
前記遠隔サーバーは、
前記治療データおよび第１の認証コードを受信することと、
ナンスと、前記呼吸治療デバイスにとって既知の秘密とから署名鍵を演算することと、
前記受信された治療データおよび前記署名鍵から第２の認証コードを演算することと、
前記第１の認証コードを前記第２の認証コードと比較することにより、前記治療データを認証することと、
を行うように構成される、
請求項６２のシステム。
請求項６７：
装置であって、
呼吸治療デバイスから治療データを受信する手段と、
遠隔サーバーからナンスを受信する手段と、
前記ナンスを前記呼吸治療デバイスへ送信する手段と、
前記呼吸治療デバイスから署名鍵を受信する手段であって、前記署名鍵は、前記ナンスと、前記呼吸治療デバイスおよび前記遠隔サーバーにとって既知の秘密とに依存する、手段と、
前記治療データおよび前記署名鍵を用いて認証コードを生成する手段であって、前記認証コードは、前記治療データの認証に用いられる、手段と、
前記治療データおよび前記認証コードを前記遠隔サーバーへ送信する手段と、
を含む、装置。
請求項６８：
装置であって、
呼吸治療デバイスおよび第１の認証コードから治療データを受信する手段と、
ナンスと、前記呼吸治療デバイスにとって既知の秘密とから、署名鍵を演算する手段と、
前記受信された治療データおよび前記署名鍵から第２の認証コードを演算する手段と、
前記第１の認証コードを前記第２の認証コードと比較することにより、前記治療データを認証する手段と、
を含む、装置。
請求項６９：
装置であって、
呼吸治療を患者へ送達させる手段と、
遠隔サーバーからナンスを受信する手段と、
前記ナンスからの署名鍵と、前記遠隔サーバーにとって既知の秘密とを演算する手段と、
治療データおよび前記署名鍵を用いて認証コードを生成する手段であって、前記認証コードは、前記治療データの認証に用いられる、手段と、
前記治療データおよび前記認証コードを前記遠隔サーバーへ送信する手段と、
を含む、装置。